(57)【要約】【課題】エアコン室外機をボルト止めあるいはタッピングビス止めの何れでも確実に行なえるようにする。【解決手段】平面形状がほぼ長方形で内部が空洞の合成樹脂製ブロック１の長手方向における両端にエアコン室外機の下端部に設けられたブラケット７を受ける受け部６が形成され、受け部６の上端板部８には受け部６の幅方向中央部でボルト１０の雄ねじ軸部１０ａの外径よりも僅かに大きな溝部９がブロック１の長手方向に向いて形成され、前記上端板部８の内面には溝部９を取り囲みボルト１０の頭部１０ｂが嵌り込む環状のリブ１２が形成され、このリブ１２は２枚の対向壁１２ａ，１２ａ間にボルト１０の頭部１０ｂが嵌入し、対向壁１２ａ，１２ａの内面にボルト１０の頭部１０ｂが回り止め状態で当接するように構成されており、前記上端板部８の内面において、環状のリブ１２の外側に格子の目の大きさが数ｍｍ平方の格子状のリブ１３が形成されている。【選択図】　　　　図７
2004011998.tif 000002
【特許請求の範囲】
【請求項１】
平面形状がほぼ長方形で内部が空洞の合成樹脂製ブロックであって、このブロックの長手方向における両端にエアコン室外機の左右両側下端部に設けられたブラケットを受ける受け部が形成され、受け部の上端板部には受け部の幅方向中央部で受け部の長手方向両端を除く範囲内で溝幅がエアコン室外機の据え付けに使用されるボルトの雄ねじ軸部の外径よりも僅かに大きな溝部がブロックの長手方向に向いて形成され、前記受け部の上端板部の内面には溝部を取り囲み前記ボルトの頭部あるいはボルトの雄ねじ軸部に螺合されるナットが嵌り込む環状のリブが形成されてなり、このリブは両端を除く２枚の対向壁間に前記ボルトの頭部もしくはボルトの雄ねじ軸部に螺合されるナットが嵌入し、対向壁の内面に前記ボルトの頭部の外周の６角面の対向２面あるいは前記ナットの外周の６角面の対向２面が回り止め状態で当接するように構成されており、さらに、前記受け部の上端板部の内面において、前記環状のリブの外側に格子の目の大きさが数ｍｍ平方の格子状のリブが形成されていることを特徴とするエアコン室外機の設置用ブロック。
【発明の詳細な説明】
【０００１】
【発明の属する技術分野】
本発明は、エアコン室外機の設置用ブロックに関するものである。
【０００２】
【従来の技術】
従来、エアコン室外機を受けて据え付けるときに使用されるブロックとしてはコンクリートブロックが一般に知られているが、コンクリートブロックは重量が重く、取り扱いが不便で、コストが高いという問題から、軽量で取り扱いが容易で安価な合成樹脂製のブロックの使用が増えている。
【０００３】
この合成樹脂製のブロックにはエアコン室外機を連結固定するためにボルトの頭部を係合させるための溝部がブロックの上面にブロックの長手方向端部より長手方向に形成されており、エアコン室外機設置作業時に前記溝部にボルトの頭部を係合させ、溝部から上方に突出したボルトの雄ねじ軸部をエアコン室外機の下端のブラケットの孔部に嵌め込み、かかる状態でボルトの雄ねじ軸部に上方よりナットを螺合させて締め付けている。
【０００４】
しかしながら、この設置構造ではボルト、ナットによりエアコン室外機をブロックの上面に締結させているのであるが、作業する人によってはブロックの上面に対してエアコン室外機の下端のブラケットをビス止めする場合もあり、その場合は前記溝部の両側位置でブラケットのビス孔よりタッピングビスをブロックの上端板部にねじ込んでいるのであるが、ブロックの上端板部の板厚が数ｍｍと薄いことから、タッピングビスとブロックの上端板部との結合力が小さく、エアコン室外機の下端のブラケットがブロックの上面から簡単に外れてしまうという問題があった。
【０００５】
【発明が解決しようとする課題】
本発明はこのような課題を解決するもので、エアコン室外機をボルト止めあるいはビス止めの何れでも確実に行なえるようにしたエアコン室外機の設置用ブロックを提供することを目的とするものである。
【０００６】
【課題を解決するための手段】
この課題を解決するために本発明は、平面形状がほぼ長方形で内部が空洞の合成樹脂製ブロックであって、このブロックの長手方向における両端にエアコン室外機の左右両側下端部に設けられたブラケットを受ける受け部が形成され、受け部の上端板部には受け部の幅方向中央部で受け部の長手方向両端を除く範囲内で溝幅がエアコン室外機の据え付けに使用されるボルトの雄ねじ軸部の外径よりも僅かに大きな溝部がブロックの長手方向に向いて形成され、前記受け部の上端板部の内面には溝部を取り囲み前記ボルトの頭部あるいはボルトの雄ねじ軸部に螺合されるナットが嵌り込む環状のリブが形成されてなり、このリブは両端を除く２枚の対向壁間に前記ボルトの頭部もしくはボルトの雄ねじ軸部に螺合されるナットが嵌入し、対向壁の内面に前記ボルトの頭部の外周の６角面の対向２面あるいは前記ナットの外周の６角面の対向２面が回り止め状態で当接するように構成されており、さらに、前記受け部の上端板部の内面において、前記環状のリブの外側に格子の目の大きさが数ｍｍ平方の格子状のリブが形成されていることを要旨とするものである。
【０００７】
この構成により、エアコン室外機をボルト止めあるいはタッピングビス止めの何れでも行なえ、特にタッピングビス止めを行なう場合、受け部の上端板部にねじ込まれたタッピングビスは上端板部内面の格子状のリブに少なくとも一部が食い込む状態となり、タッピングビスが上端板部から抜け外れるのを抑えることができる。
【０００８】
【発明の実施の形態】
以下、本発明の一実施の形態について、図面に基づいて説明する。
図１〜図１１において、１は耐候性を有するポリエチレンなどの合成樹脂からなるエアコン室外機設置用のブロックで、このブロック１は側面形状がほぼ台形であり、また平面形状はほぼ長方形で内部が空洞となっており、下端両側が長手方向に沿って張り出している。２はこの張り出し部で、張り出し部２の長手方向には適当間隔おきにブロック１をアンカーボルトなどで地面に固定するためＵ字状に薄肉部３を持つ切り取り部４が形成されており、この薄肉部３を破ることにより図４に示すようなボルト貫通孔となる。
【０００９】
前記ブロック１の長手方向における中央部上端は高さが低く形成され、エアコン室外機５はブロック１の長手方向における両端の受け部６で受けられる。詳しくは、ブロック１は長手方向がエアコン室外機５の左右方向に対して直行する方向に向けられ、２つのブロック１によりエアコン室外機５の左右両側下端部が受けられ、エアコン室外機５の左右両側下端部に前後に張り出して設けられたブラケット７をブロック１の受け部６に連結されるようになっている。７ａはブラケット７の幅方向中央に形成された孔部である。前記ブロック１の受け部６の上端板部８にはブロック１の長手方向に向いて溝部９が形成されている。この溝部９は受け部６の幅方向中央部で受け部６の長手方向両端を除く範囲内で溝幅がエアコン室外機５の据え付けに使用されるボルト１０の雄ねじ軸部１０ａの外径よりも僅かに大きくなるように形成され、受け部６の上端板部８の内面には溝部９を取り囲みボルト１０の頭部１０ｂあるいはボルト１０の雄ねじ軸部１０ａに螺合されるナット１１が嵌り込む環状のリブ１２が形成されている。このリブ１２は両端を除く２枚の対向壁１２ａ，１２ａ間にボルト１０の頭部１０ｂもしくはボルト１０の雄ねじ軸部１０ａに螺合されるナット１１が嵌入し、対向壁１２ａ，１２ａの内面にボルト１０の頭部１０ｂの外周の６角面の対向２面あるいはボルト１０の雄ねじ軸部１０ａに螺合されるナット１１の外周の６角面の対向２面が回り止め状態で当接するように構成されている。さらに、前記受け部６の上端板部８の内面において、前記環状のリブ１２の外側全面に前記リブ１２よりも高さの浅い、言い換えれば下端がリブ１２の下端よりも上方に位置する格子状のリブ１３が形成されている。このリブ１３の格子の目の大きさは数ｍｍ平方で、エアコン室外機５のブラケット７を受け部６にビス止めにより据え付ける場合に使用されるタッピングビスの外径より僅かに小さくなるように形成されている。なお、図面に示す実施の形態では環状のリブ１２の内側における受け部６の上端板部８の内面にもリブ１３と同一高さのリブ１３ａが形成されている。
【００１０】
上記構成において、エアコン室外機５をブロック１の受け部６上に載せて据え付けるとき、エアコン室外機５の左右両側下端部が載る位置に予め左右一対のブロック１を位置させ、この一対のブロック１の受け部６上にエアコン室外機５の左右両側下端部のブラケット７を載せ、受け部６に対してブラケット７を連結固定する。このとき受け部６に対するブラケット７の連結固定の方法としては、ボルト１０、ナット１１による方法、タッピングビスによる方法があり、先ずボルト１０、ナット１１による連結固定方法について説明する。
【００１１】
ボルト１０、ナット１１を用いてエアコン室外機５をブロック１の受け部６上に載せて据え付ける場合は、左右一対のブロック１の受け部６の環状のリブ１２にボルト１０を上下逆にしてボルト１０の頭部１０ｂを嵌め込み、上下逆に向けられたボルト１０の頭部１０ｂの上端面をリブ１２の内側におけるリブ１３ａの下端に当接させて雄ねじ軸部１０ａを溝部９から上方に突出させる。そして、この雄ねじ軸部１０ａにブラケット７の孔部７ａを嵌めて孔部７ａから突出する雄ねじ軸部１０ａに座金１４を介してナット１１を螺合させて締め付けることによりエアコン室外機５はブロック１に連結固定される（図５〜図８参照）。
【００１２】
タッピングビスを用いてエアコン室外機５をブロック１の受け部６上に載せて据え付ける場合は、図９〜図１１に示すように一対のブロック１の受け部６上にエアコン室外機５の左右両側下端部のブラケット７を載せた状態で、ブラケット７のビス挿通孔７ｂより受け部６の上端板部８にタッピングビス１５をねじ込むことにより行なえば良い。ブラケット７のビス挿通孔７ｂはブラケット７の幅方向中央から左右に適当間隔をおいて形成され、このビス挿通孔７ｂより受け部６の上端板部８にねじ込まれたタッピングビス１５は前記格子状のリブ１３に少なくとも一部が食い込む状態となり、タッピングビス１５が受け部６の上端板部８から抜け外れるのを抑えることができる。
【００１３】
ところで、上記実施の形態ではブロック１の長手方向における両端に受け部６が形成されて長手方向における中央部上端は高さが低く形成されているが、ブロック１の形状は特に限定されるものではない。また、ボルト１０、ナット１１による連結固定方法において、ブロック１の受け部６の環状のリブ１２にボルト１０の頭部１０ｂを嵌め込んでいるが、環状のリブ１２にナット１１を嵌め込み、このナット１１に上方からボルト１０の雄ねじ軸部１０ａを螺合させるようにしても良い。
【００１４】
【発明の効果】
以上のように本発明によれば、エアコン室外機をボルト止めあるいはタッピングビス止めの何れでも行なえ、特にタッピングビス止めを行なう場合、受け部の上端板部にねじ込まれたタッピングビスは上端板部内面の格子状のリブに少なくとも一部が食い込む状態となり、タッピングビスが上端板部から抜け外れるのを抑えることができる。
【図面の簡単な説明】
【図１】本発明の一実施の形態におけるエアコン室外機の設置用ブロックの斜視図である。
【図２】図１のＸ−Ｘ断面図である。
【図３】図１のＹ−Ｙ断面図である。
【図４】同薄肉部を破ってボルト貫通孔を形成した状態を示す要部斜視図である。
【図５】ボルトおよびナットによりエアコン室外機をブロック上に据え付ける作業時の状態を示す要部拡大斜視図である。
【図６】ボルトおよびナットによりエアコン室外機をブロック上に据え付けた状態を示す要部拡大斜視図である。
【図７】ボルトおよびナットによりエアコン室外機をブロック上に据え付けた状態を示す要部拡大断面図である。
【図８】ボルトおよびナットによりエアコン室外機をブロック上に据え付けた状態を示す斜視図である。
【図９】タッピングビスによりエアコン室外機をブロック上に据え付けた状態を示す要部拡大斜視図である。
【図１０】タッピングビスによりエアコン室外機をブロック上に据え付けた状態を示す要部拡大断面図である。
【図１１】タッピングビスによりエアコン室外機をブロック上に据え付けた状態を示す要部拡大裏面図である。
【符号の説明】
１　　　ブロック
５　　　エアコン室外機
６　　　受け部
７　　　ブラケット
７ａ　　孔部
７ｂ　　ビス挿通孔
８　　　上端板部
９　　　溝部
１０　　　ボルト
１０ａ　　雄ねじ軸部
１０ｂ　　頭部
１１　　　ナット
１２　　　リブ
１２ａ　　対向壁
１３　　　リブ
１５　　　タッピングビス
【図１】
2004011998.tif 000003
【図２】
2004011998.tif 000004
【図３】
2004011998.tif 000005
【図４】
2004011998.tif 000006
【図５】
2004011998.tif 000007
【図６】
2004011998.tif 000008
【図７】
2004011998.tif 000009
【図８】
2004011998.tif 000010
【図９】
2004011998.tif 000011
【図１０】
2004011998.tif 000012
【図１１】
2004011998.tif 000013